(57)【要約】      （修正有）【課題】光源装置を小型化できる照明装置及びプロジェクターを提供する。【解決手段】照明装置３１は、複数の光源装置４１と、複数の光源装置４１を保持する保持部材（第１ランプユニット４Ａ及び第２ランプユニット４Ｂ）と、を備え、光源装置４１は、光源と、光源を収納する収納体と、を備え、収納体は、冷却気体を導入する複数の開口部を有し、保持部材（第１ランプユニット４Ａ及び第２ランプユニット４Ｂ）は、複数の開口部のうち、少なくとも１つの開口部に冷却気体を導く分流装置を備える。【選択図】図３
2017003794.tif 000002
【特許請求の範囲】
【請求項１】
複数の光源装置と、前記複数の光源装置を保持する保持部材と、を備えた照明装置であ
って、
前記光源装置は、
光源と、
前記光源を収納する収納体と、を備え、
前記収納体は、冷却気体を導入する複数の開口部を有し、
前記保持部材は、前記複数の開口部のうち、少なくとも１つの開口部に前記冷却気体を
導く分流装置を備えることを特徴とする照明装置。
【請求項２】
請求項１に記載の照明装置において、
前記分流装置は、前記複数の光源装置ごとに設けられていることを特徴とする照明装置
。
【請求項３】
請求項１又は請求項２に記載の照明装置において、
前記分流装置は、当該照明装置の姿勢に応じて前記冷却気体を主に導く前記開口部を変
更することを特徴とする照明装置。
【請求項４】
請求項３に記載の照明装置において、
前記分流装置は、前記複数の開口部のそれぞれと接続される複数のダクト部と、
前記複数のダクト部の前記冷却気体が流入される側に位置し、前記複数のダクト部の少
なくとも一部を開閉する開閉部と、を備え、
前記開閉部は、自重によって回動する回転板により構成されていることを特徴とする照
明装置。
【請求項５】
請求項１から請求項４のいずれか一項に記載の照明装置と、
前記照明装置から出射された光を変調する光変調装置と、
前記光変調装置により変調された光に基づく画像を投射する投射光学装置と、
前記冷却気体を供給する冷却装置と、を備えることを特徴とするプロジェクター。
【請求項６】
請求項５に記載のプロジェクターにおいて、
当該プロジェクターの設置姿勢に応じて、前記保持部材を交換可能に構成されているこ
とを特徴とするプロジェクター。
【請求項７】
請求項５に記載のプロジェクターにおいて、
当該プロジェクターの設置姿勢に応じて、前記分流装置を交換可能に構成されているこ
とを特徴とするプロジェクター。
【発明の詳細な説明】
【技術分野】
【０００１】
本発明は、照明装置及びプロジェクターに関する。
【背景技術】
【０００２】
従来、照明装置と、当該照明装置から出射された光を変調して画像情報に応じた画像を
形成する光変調装置と、当該画像をスクリーン等の被投射面上に拡大投射する投射光学装
置と、を備えたプロジェクターが知られている。
このようなプロジェクターとして、プロジェクターの姿勢に合わせて光源ランプの冷却
位置を異ならせる光源装置を備えたプロジェクターが知られている（例えば、特許文献１
参照）。
【０００３】
この特許文献１に記載のプロジェクターの光源装置は、光源ランプと、内部に光源ラン
プが収納される収納体とを備える。この収納体は、一対の開口部と、当該一対の開口部と
は反対側に導入口を有するダクト部と、自重により回動する整流部材とを備え、整流部材
が自重により回動することにより一対の開口部のうちいずれか一方に当該ダクト部を介し
て冷却空気を流通させる。
【先行技術文献】
【特許文献】
【０００４】
【特許文献１】特開２０１０−３８９７６号公報
【発明の概要】
【発明が解決しようとする課題】
【０００５】
ところで、特許文献１に記載の光源装置は、光源ランプを収納する収納体内に上記整流
部材を設けているので、光源装置が大型化するという問題がある。このため、プロジェク
ターにおける光源装置を搭載するスペースを拡大する必要がある。また、このような光源
装置を複数備えるプロジェクターでは、上記スペースを更に拡大する必要があり、かつ、
交換部品である光源装置が大きいので、当該プロジェクターへの光源装置の装着が煩雑に
なるという課題がある。
【０００６】
本発明は、上述の課題の少なくとも一部を解決することを目的としたものであり、光源
装置を小型化できる照明装置及びプロジェクターを提供することを目的の１つとする。
【課題を解決するための手段】
【０００７】
本発明の第１態様に係る照明装置は、複数の光源装置と、前記複数の光源装置を保持す
る保持部材と、を備えた照明装置であって、前記光源装置は、光源と、前記光源を収納す
る収納体と、を備え、前記収納体は、冷却気体を導入する複数の開口部を有し、前記保持
部材は、前記複数の開口部のうち、少なくとも１つの開口部に前記冷却気体を導く分流装
置を備えることを特徴とする。
【０００８】
なお、上記光源としては、発光管、ＬＥＤ（Light Emitting Diode）及びＬＤ（Laser 
Diode）等の固体光源と、リフレクターとにより構成される光源装置、又は、当該固体光
源、リフレクター、及びこれらを収納する収納体（ハウジング）により構成される光源装
置を例示できる。
上記第１態様によれば、保持部材に分流装置が設けられているので、光源装置に分流装
置が設けられる場合に比べて、確実に光源装置を小型化できる。また、光源装置の収納体
に設けられた複数の開口部の少なくとも１つの開口部に冷却気体を導くことができるので
、例えば、複数の開口部のそれぞれから流入する冷却気体の流通経路が異なる場合、冷却
気体を所望の流通経路に冷却気体を選択して供給できる。
【０００９】
上記第１態様では、前記分流装置は、前記複数の光源装置ごとに設けられていることが
好ましい。
上記第１態様によれば、光源装置ごとに分流装置が設けられているので、複数の光源装
置への冷却気体の分流を行う分流装置に比べて、分流装置を小型化できる。これにより、
照明装置を小型化できる。
【００１０】
上記第１態様では、前記分流装置は、当該照明装置の姿勢に応じて前記冷却気体を主に
導く前記開口部を変更することが好ましい。
ここで、光源装置の光源が発光管及びリフレクターにより構成されている場合、発光管
の上側は、下側に比べて発光により熱を帯びやすく、上下で温度差が生じる。このような
局所的な温度差は、発光管を構成するガラスの白濁や変形等の劣化を生じさせ、当該発光
管の寿命を短くする要因となる。これに対し、上記第１態様によれば、光源の熱を帯びや
すい位置に対して冷却気体が主に導かれるので、光源を効果的に冷却できる。
【００１１】
上記第１態様では、前記分流装置は、前記複数の開口部のそれぞれと接続される複数の
ダクト部と、前記複数のダクト部の前記冷却気体が流入される側に位置し、前記複数のダ
クト部の少なくとも一部を開閉する開閉部と、を備え、前記開閉部は、自重によって回動
する回転板により構成されていることが好ましい。
上記第１態様によれば、回転板は、自重によって回動して、複数のダクト部の少なくと
も一部を開閉して、冷却気体の流路を切り替える。これによれば、例えば、照明装置の姿
勢に応じて複数のダクトのいずれかに冷却気体を流通させることができる。また、このよ
うな回転板は、自重によって冷却気体の流路を切り替えるので、照明装置の設置姿勢を検
出する検出手段、及び、検出された姿勢に応じて回転板を回動させるモーター等の回動手
段を設ける必要がない。従って、照明装置がどのような姿勢であっても、常に光源の熱を
帯びやすい位置に冷却気体を送風することができるので、簡易な構成で、光源を効率よく
冷却できる。
【００１２】
本発明の第２態様に係るプロジェクターは、上記照明装置と、前記照明装置から出射さ
れた光を変調する光変調装置と、前記光変調装置により変調された光に基づく画像を投射
する投射光学装置と、前記冷却気体を供給する冷却装置と、を備えることを特徴とする。
上記第２態様によれば、上記第１態様に係る照明装置と同様の効果を奏することができ
る。また、上記照明装置により光源を小さくできるので、光源装置を備える照明装置、ひ
いてはプロジェクターを小型化できる。また、光源装置を小さくできるので、当該光源装
置の交換作業等を容易にできる。
【００１３】
上記第２態様では、当該プロジェクターの設置姿勢に応じて、前記保持部材を交換可能
に構成されていることが好ましい。
ここで、プロジェクターの設置姿勢としては、正置き姿勢、当該正置き姿勢から反時計
回りに９０°回転させた上向き姿勢、当該正置き姿勢から時計回りに回転させた下向き姿
勢の他、上記回転方向に直交する方向に９０°回転させるポートレート姿勢を例示できる
。これらのうち、上記正置き姿勢、上向き姿勢及び下向き姿勢に対して、プロジェクター
がポートレート姿勢として設置された場合、上記分流装置により冷却気体が導かれる開口
部が選択されることは好ましくない。
これに対し、本実施形態では、プロジェクターの設置姿勢に応じて保持部材を交換可能
に構成されているので、例えば、保持部材に設けられた上記分流装置に代えて、上記ポー
トレート姿勢に適した分流装置を装着した保持部材に光源装置を装着した照明装置をプロ
ジェクターに搭載できる。これにより、プロジェクターが上記いずれの設置姿勢を取った
場合であっても、確実に光源を冷却できる。
【００１４】
上記第２態様では、当該プロジェクターの設置姿勢に応じて、前記分流装置を交換可能
に構成されていることが好ましい。
本実施形態では、プロジェクターの設置姿勢に応じて分流装置を交換可能に構成されて
いるので、例えば、上記分流装置に代えて、上記ポートレート姿勢に適した分流装置を装
着した照明装置をプロジェクターに搭載できる。これにより、プロジェクターが上記いず
れの設置姿勢を取った場合であっても、確実に光源を冷却できる。
【図面の簡単な説明】
【００１５】
【図１】本発明の一実施形態に係るプロジェクターを示す概略斜視図。
【図２】上記実施形態に係るプロジェクターの内部構成を示す模式図。
【図３】上記実施形態に係る照明装置を示す斜視図。
【図４】上記実施形態に係る照明装置の平面図。
【図５】上記実施形態に係る第１ランプユニットを示す斜視図。
【図６】上記実施形態に係る光源装置を取り外した状態の第１ランプユニットを示す斜視図。
【図７】上記実施形態に係る分流装置を示す斜視図。
【図８】上記実施形態に係る分流装置を示す斜視図。
【図９】上記実施形態に係る分流装置を示す分解斜視図。
【図１０】上記実施形態に係るプロジェクターが正置き姿勢である場合の分流装置を示す正面図。
【図１１】上記実施形態に係る分流装置を示す断面図。
【図１２】上記実施形態に係る分流装置を流通する冷却気体の流路を示す図。
【図１３】上記実施形態に係る分流装置を流通する冷却気体の流路を示す図。
【図１４】上記実施形態に係る分流装置を流通する冷却気体の流路を示す図。
【図１５】上記実施形態に係る光源装置を示す斜視図。
【図１６】上記実施形態に係る導風部材を取り外した状態の光源装置を示す斜視図。
【図１７】上記実施形態に係る導風部材を示す斜視図。
【図１８】上記実施形態に係る光源装置の断面を示す断面図。
【図１９】上記実施形態に係る光源装置の断面を示す断面図。
【図２０】上記実施形態に係る分流装置及び光源装置が接続された状態を示す平面図。
【図２１】上記実施形態に係る分流装置及び光源装置の断面を示す断面図。
【発明を実施するための形態】
【００１６】
以下、本発明の一実施形態について、図面に基づいて説明する。
［プロジェクターの外観構成］
図１は、本実施形態に係るプロジェクター１を示す概要斜視図である。
本実施形態に係るプロジェクター１は、後述する照明装置３１から出射される光を変調
して画像情報に応じた画像を形成し、当該画像をスクリーン等の被投射面上に拡大投射す
る投射型表示装置である。
このプロジェクター１は、４つの光源装置４１Ａ〜４１Ｄ（図２参照）を備えた複灯型
のプロジェクターである。これら４つの光源装置４１Ａ〜４１Ｄから出射された光は、詳
しくは後述するが、光路変更装置５によって同方向に反射されて照明装置３１から出射さ
れ、複数の光学部品を介して、光変調装置に入射される。
【００１７】
外装筐体２は、天面部２１、底面部２２、正面部２３、背面部２４、左側面部２５及び
右側面部２６を有する略直方体形状に形成されている。
天面部２１には、使用者がプロジェクター１を把持したり、天井等に設置された器具に
プロジェクター１を固定したりする際に利用される一対の把手部２１１が設けられている
。
底面部２２には、図示を省略するが、設置台等の設置面上に載置される際に、当該設置
面と接触する脚部が設けられている。
正面部２３には、後述する画像形成装置３を構成する投射光学装置３５の一部が露出す
る開口部２３１が形成されている。
背面部２４には、後述する第１ランプユニット４Ａ、第２ランプユニット４Ｂ（図２参
照）及び光路変更装置５（図２参照）を外装筐体２内に交換可能に収納するための開口部
（図示省略）が形成され、当該開口部は、カバー部材（図示省略）によって覆われている
。
これらの他、図示を省略するが、右側面部２６には、外装筐体２外の空気を内部に導入
する導入口が形成され、左側面部２５には、外装筐体２内の空気を外部に排出する排気口
が形成されている。
なお、以下の説明では、照明装置３１による光の出射方向をＺ方向とし、当該Ｚ方向に
それぞれ直交し、かつ、互いに直交する方向をＸ方向及びＹ方向とする。本実施形態では
、Ｚ方向は、背面部２４から正面部２３に向かう方向であることから、Ｘ方向を左側面部
２５から右側面部２６に向かう方向とし、Ｙ方向を底面部２２から天面部２１に向かう方
向として説明する。
【００１８】
［プロジェクターの内部構成］
図２は、プロジェクター１の内部構成を示す模式図である。
プロジェクター１は、上記外装筐体２の他、図２に示すように、当該外装筐体２内に配
置される画像形成装置３及び当該プロジェクター１の構成部品を冷却する冷却装置９を備
える。この他、図示を省略するが、プロジェクター１は、当該プロジェクター１を制御す
る制御装置、及び、当該プロジェクター１を構成する電子部品に電力を供給する電源装置
を備える。
【００１９】
［画像形成装置の構成］
画像形成装置３は、上記制御装置から入力される画像情報に応じた画像を形成及び投射
する。この画像形成装置３は、照明装置３１、均一化装置３２、色分離装置３３、電気光
学装置３４、投射光学装置３５、ベース部材３６及び光学部品用筐体３７を備える。
これらのうち、光学部品用筐体３７に接続されるベース部材３６は、照明装置３１を収
納固定する機能を有する。
また、光学部品用筐体３７は、内部に照明光軸Ａｘが設定された箱状筐体であり、均一
化装置３２及び色分離装置３３は、光学部品用筐体３７内における照明光軸Ａｘ上の位置
に配置される。また、照明装置３１、電気光学装置３４及び投射光学装置３５は、光学部
品用筐体３７外に位置するものの当該照明光軸Ａｘに応じて配置される。
照明装置３１は、均一化装置３２に平行光を出射する。この照明装置３１の構成につい
ては、後に詳述する。
【００２０】
均一化装置３２は、照明装置３１から出射された光束の中心軸に対する直交面内の照度
を均一化する。この均一化装置３２は、シネマフィルター３２１、第１レンズアレイ３２
２、ＵＶフィルター３２３、第２レンズアレイ３２４、偏光変換素子３２５及び重畳レン
ズ３２６を有する。
これらのうち、偏光変換素子３２５は、入射された光の偏光方向を一種類に揃えるもの
である。
色分離装置３３は、均一化装置３２から入射される光束を、赤（Ｒ）、緑（Ｇ）及び青
（Ｂ）の３つの色光に分離する。この色分離装置３３は、ダイクロイックミラー３３１，
３３２、反射ミラー３３３〜３３６及びリレーレンズ３３７，３３８を有する。
【００２１】
電気光学装置３４は、分離された各色光を画像情報に応じて変調した後、変調された各
色光を合成する。この電気光学装置３４は、それぞれ色光毎に設けられる光変調装置とし
ての液晶パネル３４１（赤、緑及び青用の液晶パネルを、それぞれ３４１Ｒ，３４１Ｇ，
３４１Ｂとする）、入射側偏光板３４２及び出射側偏光板３４３と、１つの色合成装置３
４４と、を有する。これらのうち、色合成装置３４４としては、ダイクロイックプリズム
を採用できる。
投射光学装置３５は、色合成装置３４４により合成された光束（画像を形成する光束）
を上記被投射面上に拡大投射する投射レンズである。このような投射光学装置３５として
は、鏡筒内に複数のレンズが配置された組レンズを採用できる。
【００２２】
均一化装置３２は、照明装置３１から出射された光束の中心軸に対する直交面内の照度
を均一化する。この均一化装置３２は、シネマフィルター３２１、第１レンズアレイ３２
２、ＵＶフィルター３２３、第２レンズアレイ３２４、偏光変換素子３２５及び重畳レン
ズ３２６を有する。
これらのうち、偏光変換素子３２５は、入射された光の偏光方向を一種類に揃えるもの
である。
色分離装置３３は、均一化装置３２から入射される光束を、赤（Ｒ）、緑（Ｇ）及び青
（Ｂ）の３つの色光に分離する。この色分離装置３３は、ダイクロイックミラー３３１，
３３２、反射ミラー３３３〜３３６及びリレーレンズ３３７，３３８を有する。
【００２３】
電気光学装置３４は、分離された各色光を画像情報に応じて変調した後、変調された各
色光を合成する。この電気光学装置３４は、それぞれ色光毎に設けられる光変調装置とし
ての液晶パネル３４１（赤、緑及び青用の液晶パネルを、それぞれ３４１Ｒ，３４１Ｇ，
３４１Ｂとする）、入射側偏光板３４２及び出射側偏光板３４３と、１つの色合成装置３
４４と、を有する。これらのうち、色合成装置３４４としては、ダイクロイックプリズム
を採用できる。
投射光学装置３５は、色合成装置３４４により合成された光束（画像を形成する光束）
を上記被投射面上に拡大投射する投射レンズである。このような投射光学装置３５として
は、鏡筒内に複数のレンズが配置された組レンズを採用できる。
【００２４】
［照明装置の構成］
図３は、照明装置３１をＺ方向とは反対方向側から見た斜視図であり、図４は、照明装
置３１をＹ方向側から見た平面図である。
照明装置３１は、図２〜図４に示すように、第１ランプユニット４Ａ及び第２ランプユ
ニット４Ｂのそれぞれに固定される４つの光源装置４１（４１Ａ〜４１Ｄ）を有する。こ
の他、照明装置３１は、各光源装置４１Ａ〜４１Ｄから出射された光を同方向に反射させ
て、これら光を当該一方向に揃えて出射する光路変更装置５を備える。更に、照明装置３
１は、光源装置４１を冷却する冷却装置９を備える。この冷却装置９は、光源装置４１Ａ
〜４１Ｄのそれぞれに対応する複数の冷却ファン９１（９１Ａ〜９１Ｄ）を備える。
また、第１ランプユニット４Ａは、光源装置４１Ａ及び光源装置４１Ｃを備え、第２ラ
ンプユニット４Ｂは、光源装置４１Ｂ及び光源装置４１Ｄを備える。これら第１ランプユ
ニット４Ａ及び第２ランプユニット４Ｂは、光路変更装置５を挟んでそれぞれＸ方向側及
びＸ方向とは反対方向側に配置される。
【００２５】
［ランプユニットの構成］
図５は、第１ランプユニット４ＡをＸ方向側から見た斜視図であり、図６は、光源装置
４１Ａ，４１Ｃを取り外した状態の第１ランプユニット４ＡをＸ方向側から見た斜視図で
ある。なお、第１ランプユニット４Ａ及び第２ランプユニット４Ｂは、略同一の構成であ
るため、以下の説明では、第１ランプユニット４Ａについてのみ説明する。
第１ランプユニット４Ａは、図５及び図６に示すように、接続部４２、開口部４３、パ
ネル４４、把持部４５及び分流装置７を備える。これらのうち、接続部４２は、図６に示
すように、光源装置４１Ａが接続される接続部４２Ａ及び光源装置４１Ｃが接続される接
続部４２Ｃを有する。この接続部４２Ａは、接続部４２Ｃに対してＺ方向とは反対方向側
で、かつ、Ｙ方向側に設けられている。また、開口部４３は、光源装置４１Ａから出射さ
れる光を透過させる開口部４３Ａ及び光源装置４１Ｃから出射される光を透過させる開口
部４３Ｃを備える。この開口部４３Ａは、上記接続部４２Ａと同様に、接続部４２Ｃに対
してＺ方向とは反対方向側で、かつ、Ｙ方向側に設けられている。
【００２６】
このような構成により、光源装置４１Ａは、光源装置４１Ｃに対してＺ方向とは反対側
で、かつ、Ｙ方向側に位置するように第１ランプユニット４Ａに固定され、光源装置４１
Ｃは、光源装置４１Ａに対してＺ方向側で、かつ、Ｙ方向とは反対方向側に位置するよう
に第１ランプユニット４Ａに固定される。そして、光源装置４１Ａ，４１Ｃから出射され
た光は、上記開口部４３Ａ，４３Ｃを介して光路変更装置５に向けて出射される。
また、パネル４４は、第１ランプユニット４ＡのＺ方向とは反対方向側の面を構成し、
当該パネル４４のＺ方向とは反対方向側の面には、当該面からＺ方向とは反対方向側に突
出する略Ｕ字状の把持部４５が取り付けられている。これにより、作業者は、当該把持部
４５をＺ方向とは反対方向側に引っ張ることで、第１ランプユニット４Ａをプロジェクタ
ー１から取り外せるようになっている。
なお、第１ランプユニット４Ａ及び第２ランプユニット４Ｂは、本発明の保持部材に相
当する。
【００２７】
［分流装置の構成］
図７は、分流装置７をＸ方向とは反対側から見た斜視図であり、図８は、分流装置７を
Ｙ方向とは反対方向側から見た斜視図であり、図９は、分流装置７の分解斜視図である。
なお、分流装置７は、光源装置４１Ａ〜４１Ｄ毎に設けられているが、構成が同一である
ため、図７〜図９及び以下の説明では、光源装置４１Ａに対応する分流装置７について説
明する。
分流装置７は、光源装置４１Ａ〜４１Ｄ毎に第１及び第２ランプユニット４Ａ，４Ｂの
それぞれに設けられ、上記冷却装置９の冷却ファン９１Ａ〜９１Ｄから当該分流装置７に
供給された冷却気体を分流する機能を有する。具体的に、分流装置７は、複数のダクト部
（第１〜第４ダクト部Ｄ１〜Ｄ４）を備え、これらのうち、第１〜第３ダクト部Ｄ１〜Ｄ
３の導入口（第１〜第３導入口Ｒ１〜Ｒ３）に導入される冷却気体の流量を変更する機能
を有する（図１０参照）。この分流装置７は、図７から図９に示すように、枠部７１、分
流部７２、回転板７３及び流入部７４、開口部７５〜７８、第１ダクト部Ｄ１、第２ダク
ト部Ｄ２、第３ダクト部Ｄ３及び第４ダクト部Ｄ４を備える。
【００２８】
［枠部の構成］
この枠部７１は、図９に示すように、分流装置７の外枠を構成し、底面部７１１、左枠
部７１２及び右枠部７１３を備える。底面部７１１は、Ｘ方向に凹む凹部７１１１を備え
、当該凹部７１１１に衝突した冷却気体をＹ方向とは反対方向に導く機能を有する。また
、左枠部７１２は、後述する円筒部７２０と共に、第１ダクト部Ｄ１を構成する。一方、
右枠部７１３は、上記円筒部７２０と共に、第２ダクト部Ｄ２を構成する。更に、上記底
面部７１１（凹部７１１１）は、円筒部７２０及び後述する遮蔽部７２７と共に第３ダク
ト部Ｄ３を構成する。
【００２９】
［分流部の構成］
分流部７２は、流入部７４を介して供給された冷却気体を分流する機能を有する。この
分流部７２は、図９に示すように、円筒部７２０、第１板部７２１、第２板部７２２、第
３板部７２３、中央部７２４、開口部７２５，７２６、遮蔽部７２７、凹部７２８及び傾
斜部７２９を備える。これらのうち、第１板部７２１、第２板部７２２及び第３板部７２
３は、孔部７２４１が形成された中央部７２４からそれぞれ円筒部７２０の内側面に向け
て延びる形状であり、円筒部７２０を３つに分割するように設けられている。具体的に、
第１板部７２１、第２板部７２２及び第３板部７２３は、中央部７２４を中心として略１
２０°毎に設けられている。このため、後述する円筒部７２０をＸ方向側から見て、第１
板部７２１及び第２板部７２２により囲まれた領域、第２板部７２２及び第３板部７２３
により囲まれた領域、及び第１板部７２１及び第３板部７２３により囲まれた領域のそれ
ぞれの面積は、略同一に設定される。
【００３０】
円筒部７２０の外周面における第１板部７２１及び第３板部７２３に囲まれた領域には
、開口部７２５が形成され、第２板部７２２及び第３板部７２３に囲まれた領域には、開
口部７２６が形成されている。
遮蔽部７２７は、分流部７２の最もＸ方向側に配置され、当該分流部７２をＸ方向側か
ら見て、第１板部７２１及び第３板部７２３により囲まれた領域（以下、第１導入口Ｒ１
という場合がある。）及び第２板部７２２及び第３板部７２３により囲まれた領域（以下
、第２導入口Ｒ２という場合がある。）を遮蔽する機能を有する。これにより、第１導入
口Ｒ１に冷却気体が供給されると、開口部７２５を介して円筒部７２０外に流出される。
同様に、第２導入口Ｒ２に冷却気体が供給されると、開口部７２６を介して円筒部７２０
外に流出される。
一方、第１板部７２１及び第２板部７２２により囲まれた領域（以下、第３導入口Ｒ３
という場合がある。）には、遮蔽部７２７が設けられていないため、当該第３導入口Ｒ３
に供給された冷却気体は、当該導入口Ｒ３を介してＸ方向側、すなわち、枠部７１側に流
通される。
【００３１】
また、円筒部７２０の外周面におけるＹ方向とは反対方向側には、凹部７２８が形成さ
れ、当該凹部７２８には、傾斜部７２９が接続されている。この凹部７２８は、後述する
流入部７４と共に第４導入口Ｒ４を構成する。
傾斜部７２９は、上記凹部７２８のＹ方向とは反対側の端部に接続され、当該傾斜部７
２９の基端側から流入部７４側に向けて傾斜し、かつ、Ｙ方向とは反対方向に延びる板状
部である。すなわち、傾斜部７２９は、上記第４導入口Ｒ４から流通する冷却気体を上記
傾斜方向に向けて整流する機能を備える。
【００３２】
［回転板の構成］
回転板７３は、略扇形状の板状部材であり、第１導入口Ｒ１、第２導入口Ｒ２及び第３
導入口Ｒ３の少なくともいずれかの一部を開閉する機能を有する。この回転板７３は、図
７〜図９に示すように、分流部７２に回動自在に固定される。具体的に、回転板７３の略
中央には、ピンＳ１の内径よりわずかに大きい内径の孔部７３１が形成され、当該孔部７
３１及び上記中央部７２４の孔部７２４１にピンＳ１が嵌め込まれることにより固定され
る。これにより、分流装置７、ひいては分流装置７を含む第１及び第２ランプユニット４
Ａ，４Ｂを備えたプロジェクター１の姿勢に応じて、当該回転板７３が自重に応じて回動
する。
【００３３】
［流入部の構成］
流入部７４は、上述した冷却ファン９１に接続され、当該冷却ファン９１から供給され
た冷却気体を分流部７２に導く機能を有する。この流入部７４は、スクリューＳ２により
枠部７１に固定され、当該流入部７４の中央には、矩形状の開口部７４１が形成されてい
る。これにより、冷却ファン９１から供給された冷却気体は、開口部７４１を介して分流
部７２に流通される。
また、流入部７４は、上記分流部７２の凹部７２８及び傾斜部７２９と共に第４ダクト
部Ｄ４を構成する。
【００３４】
［開口部の構成］
開口部７５〜開口部７８は、図８に示すように、分流装置７のＹ方向とは反対方向側に
形成されている。これらのうち、開口部７５は、分流装置７をＹ方向とは反対方向側から
見て、最もＺ方向とは反対方向側に位置し、第１ダクト部Ｄ１を流通する冷却気体を分流
装置７外に流出させる。また、開口部７６は、分流装置７をＹ方向とは反対方向側から見
て、最もＺ方向側に位置し、第２ダクト部Ｄ２を流通する冷却気体を分流装置７外に流出
させる。
開口部７７及び開口部７８は、上記開口部７５及び開口部７６の間にＸ方向に並んで形
成されている。これらのうち、開口部７７は、上記開口部７８よりＸ方向側に位置し、第
３ダクト部Ｄ３を流通する冷却気体を分流装置７外に流出させる。一方、開口部７８は、
上記開口部７７よりＸ方向とは反対側に位置し、第４ダクト部Ｄ４を流通する冷却気体を
分流装置７外に流出させる。
なお、詳しくは後述するが、これら開口部７５〜７８は、光源装置４１の開口部８３〜
８６（図１５参照）とそれぞれ接続され、当該開口部７５〜７８を介して光源装置４１に
冷却気体が供給される。
【００３５】
［冷却気体の流通経路］
図１０は、プロジェクター１の底面部２２側を重力方向側とし、設置台等の設置面上に
載置された、いわゆる正置き姿勢である場合の分流装置７をＸ方向とは反対方向側から見
た正面図であり、図１１は、図１０における分流装置７のＡ１−Ａ１断面を示す断面図で
ある。なお、以下の説明では、流入部７４に流入する冷却気体を冷却気体Ｋ、第１ダクト
部Ｄ１を流通する冷却気体を冷却気体Ｋ１、第２ダクト部Ｄ２を流通する冷却気体を冷却
気体Ｋ２、第３ダクト部Ｄ３を流通する冷却気体を冷却気体Ｋ３、及び第４ダクト部Ｄ４
を流通する冷却気体を冷却気体Ｋ４として説明する。
上述したように、冷却ファン９１から流通する冷却気体Ｋは、分流装置７内を分流され
て流通する。
ここで、プロジェクター１が正置き姿勢にある場合、回転板７３は、自重により回転し
、図１０及び図１１に示すように、第１導入口Ｒ１及び第２導入口Ｒ２の殆どの領域を遮
蔽する。このため、冷却気体Ｋが流入部７４を介して分流装置７内に流入されると、全開
状態にある第３ダクト部Ｄ３の第３導入口Ｒ３に主に導かれ、図１１に示すように、第３
ダクト部Ｄ３を流通して開口部７７から冷却気体Ｋ３が流出される。また、第４ダクト部
Ｄ４の第４導入口Ｒ４は、回転板７３により遮蔽されることが無いため、冷却気体Ｋの一
部が常に流入され、冷却気体Ｋ４が第４ダクト部Ｄ４を流通し、開口部７８から流出され
る。
【００３６】
図１２は、分流装置７を流通する冷却気体Ｋ１，Ｋ２の流れを示す斜視図である。なお
、図１２では、分流装置７を流通する冷却気体Ｋ１，Ｋ２の流れを分かりやすくするため
に、流入部７４を取り外した状態の分流装置７を示している。
また、プロジェクター１が上記正置き姿勢にある場合、回転板７３により第１導入口Ｒ
１及び第２導入口Ｒ２の殆どの領域が遮蔽される。このため、第１導入口Ｒ１の一部から
第１ダクト部Ｄ１に流入した冷却気体Ｋ１は、図１２に示すように、当該第１ダクト部Ｄ
１を流通し、開口部７５から流出される。同様に、第２導入口Ｒ２の一部から第２ダクト
部Ｄ２に流入した冷却気体Ｋ２は、図１２に示すように、当該第２ダクト部Ｄ２を流通し
、開口部７６から流出される。
このように、プロジェクター１が正置き姿勢にある場合、第３ダクト部Ｄ３を流通する
冷却気体Ｋ３の流量は、第１ダクト部Ｄ１及び第２ダクト部Ｄ２を流通する冷却気体Ｋ１
，Ｋ２のそれぞれの流量より多くなる。
【００３７】
図１３は、分流装置７を流通する冷却気体Ｋ１，Ｋ３の流れを示す斜視図であるである
。なお、図１３は、図１２と同様に、流入部７４を取り外した状態の分流装置７を示して
いる。
プロジェクター１が上記正置き姿勢からＸ方向側から見て反時計回りに９０°回転した
状態（以下、下向き姿勢という場合がある。）で設置された場合、図１３に示すように、
回転板７３により導入口Ｒ２の全領域及び導入口Ｒ３の殆どの領域が遮蔽される。このた
め、冷却気体Ｋが流入部７４を介して分流装置７内に流入されると、全開状態にある第１
ダクト部Ｄ１の導入口Ｒ１に主に導かれ、図１３に示すように、第１ダクト部Ｄ１を流通
して開口部７５から冷却気体Ｋ１が流出される。また、第４ダクト部Ｄ４の導入口Ｒ４に
は、回転板７３により遮蔽されることが無いため、冷却気体Ｋの一部が常に流入され、冷
却気体Ｋ４が第４ダクト部Ｄ４を流通し、開口部７８から流出される。
また、導入口Ｒ３から第３ダクト部Ｄ３に流入した冷却気体Ｋ３は、図１３に示すよう
に、当該第３ダクト部Ｄ３を流通し、開口部７７から流出される。
このように、プロジェクター１が上記下向き姿勢にある場合、第１ダクト部Ｄ１を流通
する冷却気体Ｋ１の流量は、第３ダクト部Ｄ３を流通する冷却気体Ｋ３の流量より多くな
る。
【００３８】
図１４は、分流装置７を流通する冷却気体Ｋ２，Ｋ３の流れを示す斜視図であるである
。なお、図１４は、図１２及び図１３と同様に、流入部７４を取り外した状態の分流装置
７を示している。
プロジェクター１が上記正置き姿勢からＸ方向側から見て時計回りに９０°回転した状
態（以下、上向き姿勢という場合がある。）で設置された場合、図１４に示すように、回
転板７３により導入口Ｒ１の全領域及び導入口Ｒ３の殆どの領域が遮蔽される。このため
、冷却気体Ｋが流入部７４を介して分流装置７内に流入されると、全開状態にある第２ダ
クト部Ｄ２の導入口Ｒ２に主に導かれ、図１４に示すように、第２ダクト部Ｄ２を流通し
て開口部７６から冷却気体Ｋ２が流出される。また、第４ダクト部Ｄ４の導入口Ｒ４には
、回転板７３により遮蔽されることが無いため、冷却気体Ｋの一部が常に流入され、冷却
気体Ｋ４が第４ダクト部Ｄ４を流通し、開口部７８から流出される。
また、導入口Ｒ３から第３ダクト部Ｄ３に流入した冷却気体Ｋ３は、図１４に示すよう
に、当該第３ダクト部Ｄ３を流通し、開口部７７から流出される。
このように、プロジェクター１が上記上向き姿勢にある場合、第２ダクト部Ｄ２を流通
する冷却気体Ｋ２の流量は、第３ダクト部Ｄ３を流通する冷却気体Ｋ３の流量より多くな
る。すなわち、プロジェクター１は、設置姿勢に応じて、回転板７３が回動することによ
り、導入口Ｒ１〜Ｒ３を適宜遮蔽し、ひいては各ダクト部Ｄ１〜Ｄ３を流通する冷却風の
流量を調整可能となるよう構成されている。
【００３９】
［光源装置の構成］
図１５は、光源装置４１の斜視図である。なお、図１５では、第１ランプユニット４Ａ
に装着された光源装置４１ＡにおけるＸ方向、Ｙ方向及びＺ方向を使用し説明する。
光源装置４１（４１Ａ）は、光源ランプ４１３（図１９参照）を収納する収納体４１０
を備える。この収納体４１０は、第１筐体４１１及び第２筐体８を備える。第１筐体４１
１のＹ方向側の端部には、上記第１ランプユニット４Ａの接続部４２Ａに接続される装着
部４１２が固定されている。また、第１筐体４１１のＸ方向とは反対方向側の面を覆うよ
うに第２筐体８が接続される。
第１筐体４１１内には、発光管４１３１及びリフレクター４１３４を有する上記光源ラ
ンプ４１３が収納されている。なお、第１筐体４１１の構成については、後述する。
【００４０】
［第２筐体の構成］
図１６は、第２筐体８の導風部材８１を取り外した状態の光源装置４１を示す斜視図で
あり、図１７は、導風部材８１をＸ方向とは反対方向側から見た斜視図である。
第２筐体８は、図１６及び図１７に示すように、導風部材８１、カバー部材８２、第１
開口部８３、第２開口部８４、第３開口部８５、第４開口部８６、開口部８７及び排出口
８８を備える。
これらのうち、第１開口部８３、第２開口部８４及び第３開口部８５は、第２筐体８の
Ｙ方向側の端部に、Ｚ方向に沿って並んで配置される。また、第１開口部８３及び第２開
口部８４の間に配置される第３開口部８５のＸ方向とは反対方向側には、第４開口部８６
が形成されている。
なお、各開口部８３〜８６には、上記分流装置７の各開口部７５〜７８が接続される。
このため、開口部８３〜８６を介して光源装置４１内に分流装置７により分流された冷却
気体が供給される。
【００４１】
開口部８７は、第２筐体８の最もＸ方向とは反対方向側の面の略中央に形成され、光源
ランプ４１３から出射された光が当該開口部８７を介して上記光路変更装置５に向けて出
射される。
排出口８８は、第２筐体８のＹ方向とは反対方向側の面に形成され、上記各開口部８３
〜８６から流入し、収納体４１０内を流通した冷却気体を排出させる機能を有する。
【００４２】
［導風部材の構成］
導風部材８１は、図１７に示すように、上記第１〜第４開口部８３〜８６、開口部８７
及び排出口８８の他、外枠部８１１、縦板部８１３，８１４、整流部８１５、横板部８１
６，８１７を備える。これらのうち、外枠部８１１は、導風部材８１の外枠を構成し、中
空形状に形成される。また、外枠部８１１には、図示しない複数のねじ留め用の孔部が形
成されている。この孔部に、図示しないねじを螺合することにより、カバー部材８２に導
風部材８１が固定される。
更に、外枠部８１１の内側には、縦板部８１３，８１４、整流部８１５、横板部８１６
，８１７が形成されている。具体的に、縦板部８１３は、第１開口部８３と第３開口部８
５との間からＹ方向とは反対方向側に延びる板状部である。また、縦板部８１４は、第２
開口部８４と第３開口部８５との間からＹ方向とは反対方向に延びる板状部である。これ
ら縦板部８１３，８１４は、それぞれ後述する第５ダクト部Ｄ５、第６ダクト部Ｄ６及び
第７ダクト部Ｄ７の一部を構成する。
【００４３】
整流部８１５は、後述する屈曲部８２３１と共に冷却気体を上記リフレクター４１３４
の反射面４１３５及び上記発光管４１３１の先端部４１３３（図１９参照）のいずれかに
導く機能を有する。具体的に、整流部８１５は、縦板部８１３及び縦板部８１４の間に設
けられ、当該整流部８１５の基端部側からＸ方向とは反対方向側に向けて傾斜し、かつ、
先端部側がＹ方向とは反対方向に延びる形状であり、当該先端部側に上記屈曲部８２３１
が接続される。これら整流部８１５及び屈曲部８２３１は、後述する第７ダクト部Ｄ７及
び第８ダクト部Ｄ８の一部を構成する。
横板部８１６は、外枠部８１１のＺ方向とは反対方向側の側面における中腹部に形成さ
れる板状部である。この横板部８１６は、後述する第５ダクト部Ｄ５の一部を構成する。
また、横板部８１７は、外枠部８１１のＺ方向側の側面における中腹部に形成される板状
部である。この横板部８１７は、後述する第６ダクト部Ｄ６の一部を構成する。
【００４４】
［カバー部材の構成］
カバー部材８２は、第１筐体４１１のＸ方向とは反対方向側を覆う機能を有する。この
カバー部材８２は、Ｘ方向とは反対方向側に突出する円筒状の突出部８２Ａを備える。こ
の突出部８２Ａには、図１６に示すように、第１導入部８２１、第２導入部８２２、第３
導入部８２３及び排出部８２４を有する。これらのうち、第１導入部８２１、第２導入部
８２２及び第３導入部８２３は、突出部８２Ａにおける光源ランプ４１３の発光管４１３
１から出射され、リフレクター４１３４により反射されて出射される光の中心軸（Ｘ方向
に沿う中心軸）に直交する方向に９０°毎に設けられている。具体的に、第１導入部８２
１は、突出部８２ＡのＺ方向とは反対方向側に設けられ、第２導入部８２２は、当該第１
導入部８２１と対向する位置に配置される。また、第３導入部８２３は、第１導入部８２
１及び第２導入部８２２との間、すなわち、突出部８２Ａの最もＹ方向側に設けられてい
る。更に、排出部８２４は、突出部８２Ａにおける第３導入部８２３と対向する位置に設
けられている。
【００４５】
第１導入部８２１及び第２導入部８２２は、それぞれ導入口８２１１及び導入口８２２
１を備え、当該導入口８２１１，８２２１から上記冷却気体が流入する。すなわち、当該
導入口８２１１，８２２１を介して第１筐体４１１に収納される光源ランプ４１３に冷却
気体が供給される。
第３導入部８２３は、当該第３導入部８２３内に、上記整流部８１５に接続される屈曲
部８２３１を備える。この屈曲部８２３１は、上記整流部８１５と反対方向に傾斜する板
状部である。また、第３導入部８２３は、Ｙ方向側に導入口８２３２を備え、Ｘ方向とは
反対方向側に導入口８２３３を備える。これら導入口８２３２，８２３３のそれぞれには
、上記冷却気体が流入する。すなわち、当該導入口８２３２，８２３３を介して第１筐体
４１１に収納される光源ランプ４１３に冷却気体が供給される。
排出部８２４は、排出口８２４１を備え、当該排出口８２４１から上記光源ランプ４１
３を冷却した冷却気体が排出される。すなわち、上記各導入口８２１１，８２２１，８２
３２，８２３３から第１筐体４１１内に冷却気体が流入され、上記排出口８２４１から冷
却気体が排出される。
【００４６】
［第１筐体及び光源ランプの構成］
図１８は、光源装置４１（第２筐体８）のＹＺ平面の断面図であり、図１９は、図１８
における光源装置４１のＢ１−Ｂ１断面を示す断面図である。
ここで、上記冷却気体の流通流路を説明する前に、第１筐体４１１及び当該第１筐体４
１１に収納される光源ランプ４１３について説明する。光源ランプ４１３は、図１９に示
すように、発光管４１３１と、当該発光管４１３１の基端側に位置する封止部に固定され
るリフレクター４１３４と、を備える。これらのうち、リフレクター４１３４は、発光管
４１３１の発光部４１３２から出射された光を一方に揃えて出射するものであり、本実施
形態では、反射面４１３５が楕円面である楕円面リフレクターとして構成されている。ま
た、第１筐体４１１のＸ方向とは反対方向側の面には、リフレクター４１３４の反射面４
１３５にて反射された光、及び、発光部４１３２から直接入射される光が通過する開口部
４１３６が形成されている。
また、第１導入部８２１は、リフレクター４１３４のＸ方向とは反対方向側の端部に接
続される。この第１導入部８２１は、Ｘ方向側に進むに従ってＺ方向に沿う方向の寸法が
大きくなるように形成されている。このため、第１導入部８２１の内周面８２１２は、リ
フレクター４１３４の反射面４１３５に連続する。同様に、第２導入部８２２は、リフレ
クター４１３４のＸ方向とは反対方向側の端部に接続される。この第２導入部８２２は、
Ｘ方向側に進むに従ってＺ方向に沿う方向の寸法が大きくなるように形成されている。こ
のため、第２導入部８２２の内周面８２２２は、リフレクター４１３４の反射面４１３５
に連続する。
【００４７】
［冷却気体の流通経路］
次に、分流装置７により分流され、当該分流装置７の開口部７５〜７８から流出する冷
却気体Ｋ１〜Ｋ４の流通経路について説明する。
まず、上記開口部７５から流入する冷却気体Ｋ１は、図１８に示すように、導風部材８
１のＸ方向側の面、Ｚ方向とは反対方向側の面、縦板部８１３及び横板部８１６、並びに
、カバー部材８２のＸ方向とは反対方向側の面により構成される第５ダクト部Ｄ５をＹ方
向とは反対方向側に向けて流通する。そして、第５ダクト部Ｄ５の横板部８１６に衝突し
、第１導入部８２１の導入口８２１１内に流入する。
一方、上記開口部７６から流入する冷却気体Ｋ２は、図１８に示すように、導風部材８
１のＸ方向側の面、Ｚ方向側の面、縦板部８１４及び横板部８１７、並びに、カバー部材
８２のＸ方向とは反対方向側の面により構成される第６ダクト部Ｄ６をＹ方向とは反対方
向側に向けて流通する。そして、第６ダクト部Ｄ６の横板部８１７に衝突し、第２導入部
８２２の導入口８２２１内に流入する。
【００４８】
そして、第１導入部８２１の導入口８２１１から第１筐体４１１内に流入した冷却気体
Ｋ１は、当該第１導入部８２１の内周面８２１２及び当該内周面８２１２に連続するリフ
レクター４１３４の反射面４１３５に沿って流通する。一方、第２導入部８２２の導入口
８２２１から第１筐体４１１内に流入した冷却気体Ｋ２は、当該第２導入部８２２の内周
面８２２２及び当該内周面８２２２に連続するリフレクター４１３４の反射面４１３５に
沿って流通する。
ここで、プロジェクター１が上記下向き姿勢にある場合、第１導入部８２１が設けられ
る位置が光源ランプ４１３の上側となるため、発光部４１３２の上側（Ｚ方向とは反対方
向側）に最も熱が高まりやすい。この場合、分流装置７により第１ダクト部Ｄ１に流通す
る冷却気体Ｋ１の流量が最も多く設定されるので、発光部４１３２の上側に効率よく冷却
気体Ｋ１が流通される。
一方、プロジェクター１が上記上向き姿勢にある場合、第２導入部８２２が設けられる
位置が光源ランプ４１３の上側となるため、発光部４１３２の上側（Ｚ方向側）に最も熱
が高まりやすい。この場合、分流装置７により第２ダクト部Ｄ２に流通する冷却気体Ｋ２
の流量が最も多く設定されるので、発光部４１３２の上側に効率よく冷却気体Ｋ２が流通
される。
【００４９】
図２０は、分流装置７及び光源装置４１が接続された状態を示す平面図であり、図２１
は、図２０の分流装置７及び光源装置４１のＣ１−Ｃ１断面を示す断面図である。なお、
図２０及び図２１は、プロジェクター１が正置き姿勢にある場合の分流装置７及び光源装
置４１を示している。
分流装置７の第３ダクト部Ｄ３を介して開口部７７から流入する冷却気体Ｋ３は、図２
１に示すように、導風部材８１の縦板部８１３，８１４及び整流部８１５、並びに、カバ
ー部材８２の第３導入部８２３及び屈曲部８２３１により構成される第７ダクト部Ｄ７を
略Ｌ字状に流通する。具体的に、冷却気体Ｋ３は、第３ダクト部Ｄ３から第７ダクト部Ｄ
７に流通し、第７ダクト部Ｄ７を構成する屈曲部８２３１に衝突する。これにより、冷却
気体Ｋ３は、リフレクター４１３４側へ略Ｌ字状に流路を変更され、リフレクター４１３
４の反射面４１３５に沿うように第１筐体４１１内に流入する。よって、流入部７４の開
口部７４１からリフレクター４１３４へ至る冷却気体Ｋ３の流路は、Ｚ方向側から見て、
略Ｓ字状となる。
ここで、プロジェクター１が上記正置き姿勢にある場合、第３導入部８２３が設けられ
る位置が光源ランプ４１３の上側となるため、発光部４１３２の上側（Ｙ方向側）に最も
熱が高まりやすい。この場合、分流装置７により第３ダクト部Ｄ３に流通する冷却気体Ｋ
３の流量が最も多く設定されるので、発光部４１３２の上側に効率よく冷却気体Ｋ３が流
通される。
【００５０】
分流装置７の第４ダクト部Ｄ４を介して開口部７８から流入する冷却気体Ｋ４は、図２
１に示すように、流入部７４のＸ方向側の面、導風部材８１のＸ方向側の面及び整流部８
１５、並びに、カバー部材８２の屈曲部８２３１により構成される第８ダクト部Ｄ８を略
Ｌ字状に流通する。具体的に、冷却気体Ｋ４は、第４ダクト部Ｄ４から第８ダクト部Ｄ８
に流通し、第８ダクト部Ｄ８を構成する流入部７４のＸ方向側の面に衝突する。これによ
り、冷却気体Ｋ４は発光管４１３１側へ略Ｌ字状に流路を変更され、屈曲部８２３１に沿
うように第１筐体４１１内に流入する。よって、流入部７４の開口部７４１から発光管４
１３１の先端部４１３３へ至る冷却気体Ｋ４の流路は、Ｚ方向側から見て、略Ｓ字状とな
る。この冷却気体Ｋ４は、プロジェクター１が正置き姿勢にある場合の他、上向き姿勢及
び下向き姿勢のいずれの場合であっても、常に発光管４１３１の先端部４１３３に流通す
る。
この先端部４１３３には、図示は省略するがリード線が巻き付けられているので、当該
先端部４１３３の温度が高まりやすい。この場合、分流装置７により第４ダクト部Ｄ４に
常に冷却気体Ｋ４が流通するので、発光管４１３１の先端部４１３３に効率よく冷却気体
Ｋ４が流通される。
【００５１】
このようにして、冷却ファン９１から流通する冷却気体Ｋは、分流装置７によりプロジ
ェクター１の姿勢に応じて第１〜第３ダクト部Ｄ１〜Ｄ３に流入される冷却気体Ｋ１〜Ｋ
３の流量が調整され、当該調整された量の冷却気体Ｋ１〜Ｋ３及び第４ダクト部Ｄ４に流
入される冷却気体Ｋ４が光源装置４１に供給され、当該光源装置４１を効率よく冷却する
。そして、光源ランプ４１３（発光部４１３２及び先端部４１３３）を冷却した後の冷却
気体Ｋ１〜Ｋ４は、図２１の破線に示すように、排出口８８から収納体４１０外に排出さ
れる。
【００５２】
上記一実施形態に係るプロジェクター１によれば、以下の効果を奏することができる。
第１ランプユニット４Ａ及び第２ランプユニット４Ｂのそれぞれに分流装置７が設けら
れているので、光源装置４１に分流装置７が設けられる場合に比べて、確実に光源装置４
１を小型化できる。また、光源装置４１の収納体４１０に設けられた複数の開口部８３〜
８５の少なくとも１つの開口部に冷却気体Ｋ１〜Ｋ３を導くことができるので、冷却気体
Ｋ１〜Ｋ３を所望のダクト部Ｄ１〜Ｄ３に冷却気体Ｋを選択して供給できる。
【００５３】
また、光源装置４１Ａ〜４１Ｄごとに分流装置７が設けられているので、複数の光源装
置４１Ａ〜４１Ｄへの冷却気体Ｋの分流を行う分流装置に比べて、分流装置７を小型化で
きる。これにより、照明装置３１を小型化できる。
【００５４】
ここで、光源装置４１の光源ランプ４１３は、発光管４１３１及びリフレクター４１３
４により構成されているので、発光管４１３１の上側（発光部４１３２の上側）は、下側
（発光部４１３２の下側）に比べて発光により熱を帯びやすく、上下で温度差が生じる。
このような局所的な温度差は、発光管４１３１を構成するガラスの白濁や変形等の劣化を
生じさせ、当該発光管４１３１の寿命を短くする要因となる。これに対し、本実施形態に
よれば、光源ランプ４１３の熱を帯びやすい位置に対して冷却気体Ｋ１〜Ｋ３が主に導か
れるので、光源ランプ４１３を効果的に冷却できる。
【００５５】
回転板７３は、自重によって回動して、複数のダクト部Ｄ１〜Ｄ３の少なくとも一部を
開閉して、冷却気体Ｋの流路を切り替える。これによれば、例えば、照明装置３１の姿勢
に応じて複数のダクト部Ｄ１〜Ｄ３のいずれかに冷却気体Ｋ１〜Ｋ３を流通させることが
できる。また、このような回転板７３は、自重によって冷却気体Ｋの流路を切り替えるの
で、照明装置３１の設置姿勢を検出する検出手段、及び、検出された姿勢に応じて回転板
７３を回動させるモーター等の回動手段を設ける必要がない。従って、照明装置３１がど
のような姿勢であっても、常に光源ランプ４１３の熱を帯びやすい位置に冷却気体Ｋ１〜
Ｋ３を送風することができるので、簡易な構成で、光源ランプ４１３を効率よく冷却でき
る。
【００５６】
また、第１ランプユニット４Ａ及び第２ランプユニット４Ｂに分流装置７が設けられる
ことにより、光源装置４１を小さくできるので、光源装置４１を備える照明装置３１、ひ
いてはプロジェクター１を小型化できる。また、光源装置４１を小さくでき、かつ、第１
ランプユニット４Ａ及び第２ランプユニット４Ｂをプロジェクター１から容易に取り外す
ことができるので、当該光源装置４１の交換作業等を容易にできる。
【００５７】
ここで、プロジェクターの設置姿勢としては、正置き姿勢、上向き姿勢、下向き姿勢の
他、上記回転方向に直交する方向に９０°回転させたポートレート姿勢を例示できる。こ
れらのうち、上記正置き姿勢、上向き姿勢及び下向き姿勢に対して、プロジェクター１が
ポートレート姿勢として設置された場合、上記分流装置７により冷却気体Ｋ１〜Ｋ３が導
かれる導入口Ｒ１〜Ｒ３が選択されることは好ましくない。
これに対し、本実施形態では、プロジェクター１の設置姿勢に応じて第１ランプユニッ
ト４Ａ及び第２ランプユニット４Ｂは、プロジェクター１に対して交換可能に構成されて
いるので、例えば、当該第１ランプユニット４Ａ及び第２ランプユニット４Ｂのそれぞれ
に設けられた分流装置７に代えて、上記ポートレート姿勢に適した分流装置を装着した第
１ランプユニット４Ａ及び第２ランプユニット４Ｂに光源装置４１を装着した照明装置３
１を別に用意し、プロジェクター１に搭載できる。これにより、プロジェクター１が上記
いずれの設置姿勢を取った場合であっても、確実に光源を冷却できる。
【００５８】
［実施形態の変形]
本発明は、上記実施形態に限定されるものではなく、本発明の目的を達成できる範囲で
の変形、改良等は本発明に含まれるものである。
上記実施形態では、分流装置７は、光源装置４１Ａ〜４１Ｄごとに第１ランプユニット
４Ａ及び第２ランプユニット４Ｂのそれぞれに設けられることとした。しかしながら、本
発明は、これに限らない。例えば、第１ランプユニット４Ａに、光源装置４１Ａ，４１Ｃ
に対応する１つの分流装置を設け、第２ランプユニット４Ｂに、光源装置４１Ｂ，４１Ｄ
に対応する１つの分流装置を設けるようにしてもよい。
【００５９】
上記実施形態では、分流装置７は、照明装置３１の姿勢に応じて冷却気体Ｋを主に導く
開口部８３〜８５を変更することとした。しかしながら、本発明は、これに限らない。例
えば、上記照明装置３１（プロジェクター１）の姿勢に係わらず、所定の開口部８３〜８
５に冷却気体Ｋ１〜Ｋ３を導くようにしてもよい。
【００６０】
上記実施形態では、分流装置７は、複数の開口部８３〜８５のそれぞれに接続される第
１〜第３ダクト部Ｄ１〜Ｄ３と、当該第１〜第３ダクト部Ｄ１〜Ｄ３の第１〜第３導入口
Ｒ１〜Ｒ３側に閉塞部として、回転板７３を設けることとした。しかしながら、本発明は
、これに限らない。例えば、上記導入口Ｒ１〜Ｒ３を閉塞できれば、回転板７３ではなく
、板状で一方側に回動軸を有する閉塞部材を設けてもよい。また、回転板７３は、自重に
より回動することとしたが、これに限らず、モーター等を設け、不図示の制御部等により
制御されることにより、第１〜第３導入口Ｒ１〜Ｒ３を閉塞するようにしてもよい。
【００６１】
上記実施形態では、第１ランプユニット４Ａ及び第２ランプユニット４Ｂは、プロジェ
クター１の設置姿勢に応じて交換可能に構成されることとした。しかしながら、本発明は
、これに限らない。例えば、第１ランプユニット４Ａ及び第２ランプユニット４Ｂは、プ
ロジェクター１に固定される構成であってもよい。このような構成であっても、プロジェ
クター１をポートレート姿勢として使用しなければ、当該プロジェクター１を正置き姿勢
、上向き姿勢及び下向き姿勢のいずれの姿勢であっても光源ランプ４１３を確実に冷却で
きる。
【００６２】
上記実施形態では、ポートレート姿勢に適した分流装置を装着した第１ランプユニット
４Ａ及び第２ランプユニット４Ｂに光源装置４１を装着した照明装置３１を別に用意し、
プロジェクター１に搭載できるとした。しかしながら、本発明は、これに限らない。例え
ば、第１ランプユニット４Ａ及び第２ランプユニット４Ｂは、それぞれ１台ずつの装備と
し、ポートレート姿勢時には、ポートレート姿勢に適した分流装置と交換可能な構成とし
てもよい。
【００６３】
上記実施形態では、第１ランプユニット４Ａ及び第２ランプユニット４Ｂが光路変更装
置５を挟むように配置されることとした。しかしながら、本発明は、これに限らない。例
えば、第１及び第２ランプユニット４Ａ，４Ｂが光路変更装置５の片側にＺ方向に並んで
配置されてもよいし、Ｙ方向に重なって配置されるようにしてもよい。
【００６４】
上記実施形態では、第１ランプユニット４Ａ及び第２ランプユニット４Ｂを設けること
とした。しかしながら、本発明は、これに限らない。例えば、第１ランプユニット４Ａ及
び第２ランプユニット４Ｂのいずれか一方を備えるようにしてもよい。この場合であって
も、第１ランプユニット４Ａ及び第２ランプユニット４Ｂのいずれかに分流装置７が設け
られるので、光源装置４１Ａ〜４１Ｄを小型化できる。
【００６５】
上記実施形態では、光変調装置として透過型の液晶パネル３４１（３４１Ｒ，３４１Ｇ
，３４１Ｂ）を用いることとした。しかしながら、本発明は、これに限らない。例えば、
透過型の液晶パネル３４１（３４１Ｒ，３４１Ｇ，３４１Ｂ）に代えて、反射型の液晶パ
ネルを用いてもよい。この場合、色分離装置３３を設けることなく、当該色合成装置３４
４により、色分離及び色合成を実行するようにしてもよい。
【００６６】
上記実施形態では、プロジェクター１は、３つの液晶パネル３４１（３４１Ｒ，３４１
Ｇ，３４１Ｂ）を備えることとしたが、本発明はこれに限らない。すなわち、２つ以下、
あるいは、４つ以上の液晶パネルを用いたプロジェクターにも、本発明を適用可能である
。
また、液晶パネルに代えて、デジタルマイクロミラーデバイス等を用いてもよい。
上記実施形態では、光源装置４１Ａ〜４１Ｄの光源ランプ４１３は、発光管４１３１及
びリフレクター４１３４を備えることとした。しかしながら、本発明は、これに限らない
。例えば、ＬＥＤ（Light Emitting Diode）及びＬＤ（Laser Diode）等であってもよい
。
【００６７】
上記実施形態では、プロジェクター１は、光源装置４１Ａ〜４１Ｄを備えることとした
。しかしながら、本発明は、これに限らない。例えば、上記光源装置は６つであってもよ
いし８つであってもよい。
上記実施形態では、画像形成装置３は略Ｕ字状に構成されていたが、本発明はこれに限
らない。例えば、略Ｌ字状に構成された画像形成装置を採用してもよい。
【符号の説明】
【００６８】
１…プロジェクター、３１…照明装置、３４１，３４１Ｒ，３４１Ｇ，３４１Ｂ…液晶
パネル（光変調装置）、３５…投射光学装置、４１，４１Ａ，４１Ｂ，４１Ｃ，４１Ｄ…
光源装置、４１０…収納体、４１１…第１筐体、４１３…光源ランプ（光源）、４Ａ…第
１ランプユニット（保持部材）、４Ｂ…第２ランプユニット（保持部材）、７…分流装置
、７２９…傾斜部、７３…回転板（開閉部）、８３…第１開口部、８４…第２開口部、８
５…第３開口部、８６…第４開口部、９…冷却装置、９１…冷却ファン、Ｄ１…第１ダク
ト部、Ｄ２…第２ダクト部、Ｄ３…第３ダクト部、Ｋ…冷却気体、Ｋ１…冷却気体、Ｋ２
…冷却気体、Ｋ３…冷却気体。
【図１】
2017003794.tif 000003
【図２】
2017003794.tif 000004
【図３】
2017003794.tif 000005
【図４】
2017003794.tif 000006
【図５】
2017003794.tif 000007
【図６】
2017003794.tif 000008
【図７】
2017003794.tif 000009
【図８】
2017003794.tif 000010
【図９】
2017003794.tif 000011
【図１０】
2017003794.tif 000012
【図１１】
2017003794.tif 000013
【図１２】
2017003794.tif 000014
【図１３】
2017003794.tif 000015
【図１４】
2017003794.tif 000016
【図１５】
2017003794.tif 000017
【図１６】
2017003794.tif 000018
【図１７】
2017003794.tif 000019
【図１８】
2017003794.tif 000020
【図１９】
2017003794.tif 000021
【図２０】
2017003794.tif 000022
【図２１】
2017003794.tif 000023